(57)【特許請求の範囲】
【請求項１】
使用者の鼻及び口を覆う形状及び寸法のマスク本体と、
該マスク本体の上縁に沿って設けられており、前記マスク本体の表面と裏面に交互に露出し、かつ、両端をマスク本体の下縁の両端に固定して耳掛け部を形成する長さを有する紐と、
を有しており、
前記紐に沿ってマスク本体の上縁を縮めることでマスク本体に形成される弛みを利用し、前記使用者の顔面にフィットするように変形可能であって、
前記紐が、前記マスク本体を複数箇所で表裏に貫通することで、前記マスク本体の表面と裏面に交互に露出し、かつ、
前記上縁の略中央部に、前記下縁に向けて形成された略Ｕ字状の切れ込みを設けるとともに、該切れ込みを跨ぐように、前記紐をマスク本体に貫通させたことを特徴とするマスク。
【請求項２】
前記上縁の両端に、該上縁と連続し、かつ、端部側が上方に延びた略三角形の延長部を設けるとともに、
該延長部を前記上縁に沿って折り返し、前記延長部の先端を、前記マスク本体に固定したことを特徴とする請求項１記載のマスク。
【請求項３】
使用者の鼻及び口を覆う形状及び寸法のマスク本体と、
該マスク本体の上縁に沿って設けられており、前記マスク本体の表面と裏面に交互に露出し、かつ、両端をマスク本体の下縁の両端に固定して耳掛け部を形成する長さを有する紐と、
を有しており、
前記紐に沿ってマスク本体の上縁を縮めることでマスク本体に形成される弛みを利用し、前記使用者の顔面にフィットするように変形可能であって、
前記紐が、前記マスク本体を複数箇所で表裏に貫通することで、前記マスク本体の表面と裏面に交互に露出し、かつ、
前記上縁の両端に、該上縁と連続し、かつ、端部側が上方に延びた略三角形の延長部を設けるとともに、
該延長部を、マスク本体の下縁に対して非平行に折り返し、前記延長部の先端を、前記マスク本体に固定することで、
前記紐が、折り返した部分を表裏で跨ぐことを特徴とするマスク。
【請求項４】
使用者の鼻及び口を覆う形状及び寸法のマスク本体と、
該マスク本体の上縁に沿って設けられており、前記マスク本体の表面と裏面に交互に露出し、かつ、両端をマスク本体の下縁の両端に固定して耳掛け部を形成する長さを有する紐と、
を有しており、
前記紐に沿ってマスク本体の上縁を縮めることでマスク本体に形成される弛みを利用し、前記使用者の顔面にフィットするように変形可能であって、
前記マスク本体の上縁側に、
該上縁から第１の間隔をおいて形成された第１の穴と、
前記上縁から、前記第１の間隔よりも大きい第２の間隔をおいて形成された第２の穴と、
を交互に形成し、
前記第１の穴と第２の穴の間の位置で、前記マスク本体を上縁に平行に折り曲げることで、前記マスク本体と、折り曲げた部分の間に挟まれる紐が、前記第１及び第２の穴からマスク本体の表裏に交互に露出することを特徴とするマスク。
【請求項５】
前記マスク本体の裏面側に露出した紐に引っ掛けるための爪が、上縁に沿って複数設けられた略長方形の内装用布，
を備えたことを特徴とする請求項１〜４のいずれか一項に記載のマスク。
【請求項６】
使用者の鼻及び口を覆う形状及び寸法のマスク本体と、
該マスク本体の上縁に沿って設けられており、前記マスク本体の表面と裏面に交互に露出し、かつ、両端をマスク本体の下縁の両端に固定して耳掛け部を形成する長さを有する紐と、
前記マスク本体の裏面側に露出した紐に引っ掛けるための爪が、上縁に沿って複数設けられた略長方形の内装用布と
を有しており、
前記紐に沿ってマスク本体の上縁を縮めることでマスク本体に形成される弛みを利用し、前記使用者の顔面にフィットするように変形可能なことを特徴とするマスク。
【請求項７】
前記紐が、前記マスク本体を複数箇所で表裏に貫通することで、前記マスク本体の表面と裏面に交互に露出することを特徴とする請求項６記載のマスク。
【請求項８】
前記上縁の中央部分に形成されるマスク本体の弛みが、前記使用者の鼻を覆うとともに、前記紐の前記上縁の中央部分が、使用者の鼻に掛ける鼻掛け部を形成することを特徴とする請求項１〜７のいずれか一項に記載のマスク。
【請求項９】
前記上縁を、前記下縁よりも長く形成したことを特徴とする請求項１〜８のいずれか一項に記載のマスク。
【請求項１０】
前記紐として、伸縮性を有する素材を利用したことを特徴とする請求項１〜９のいずか一項に記載のマスク。
【請求項１１】
使用者の両目を覆う形状及び寸法のマスク本体と、
該マスク本体の下縁に沿って設けられており、前記マスク本体の表面と裏面に交互に露出し、かつ、両端をマスク本体の上縁の両端に固定した耳掛け部を形成する長さを有する紐と、
を有しており、
前記紐に沿ってマスク本体の下縁を縮めることでマスク本体に形成される弛みを利用して、前記使用者の顔面にフィットするように変形可能であって、
前記紐が前記マスク本体を複数箇所で表裏に貫通することで、前記マスク本体の表面と裏面に交互に露出し、かつ、
前記下縁の略中央部に、前記上縁に向けて形成された略Ｕ字状の切れ込みを設けるとともに、該切れ込みを跨ぐように、前記紐をマスク本体に貫通させたことを特徴とするアイマスク。
【請求項１２】
前記下縁の中央部分に形成されるマスク本体の弛みが、前記使用者の鼻の付け根側を覆うとともに、
前記紐の前記下縁の中央部分が、使用者の鼻の付根に掛かる鼻掛け部を形成することを特徴とする請求項１１記載のアイマスク。
【請求項１３】
前記下縁を、前記上縁よりも長く形成したことを特徴とする請求項１１又は１２に記載のアイマスク。
【請求項１４】
前記紐として、伸縮性を有する素材を利用したことを特徴とする請求項１１〜１３のいずれか一項に記載のアイマスク。
【発明の詳細な説明】
【技術分野】
【０００１】
本発明は、マスク及びアイマスクに関し、特に、顔面へのフィット性の改善等に関するものである。
【背景技術】
【０００２】
従来より、衛生用品として用いられる鼻・口用のマスクの顔面へのフィット性を高めるため、マスクの縁に芯材を設ける技術がある。例えば、下記特許文献１には、マスクを着用した場合に鼻の形状になじんで隙間を無くすことが出来る縁部材を上縁に取付けたマスクにおいて、該縁部材は少なくとも一部を概略逆Ｕ字状の断面をなした柔軟性のある材質からなり、その内部には針金などで曲げることが出来る芯材を埋着し、そして、両側片の間には隙間を有してマスク上縁が嵌って取付けたことを特徴とするマスクが開示されている。一方、安眠や眼精疲労の緩和等を目的として使用されるアイマスクは、多くの場合、顔面へフィットさせるため、アイマスクの下縁は、鼻の付け根に相当する部分を大きく切り込んだ形状となっている（例えば、下記特許文献２参照）。
【先行技術文献】
【特許文献】
【０００３】
【特許文献１】特開２０１１−１９８９４号公報
【特許文献２】特開２００４−２４９０１９号公報
【発明の概要】
【発明が解決しようとする課題】
【０００４】
しかしながら、前記特許文献１に記載の技術では、芯材に針金を利用しているため、マスクを捨てるときには、針金部分を分別しなければならない。使い捨てマスクとして大量に使用する場合には、分別の手間が一層かかる。また、針金を利用しているため、一度針金を変形させた後に、形状を修正しようとしても、元の形状の癖を完全に直すことが困難であり、フィット性が損なわれるという不都合もある。また、特許文献２に示すように、鼻の付け根に沿って切り込みを設けると、その切り込みの形状や大きさによっては使用者の顔面にフィットせず、隙間から明かりが漏れて睡眠の妨げになったり、目を適切に覆うことができないこともある。
【０００５】
本発明は、以上のような点に着目したもので、使用者の顔面へのフィット性が良好で、使い捨てにも適した鼻・口用のマスク及びアイマスクを提供することを、その目的とする。
【課題を解決するための手段】
【０００６】
本発明のマスクは、使用者の鼻及び口を覆う形状及び寸法のマスク本体と、該マスク本体の上縁に沿って設けられており、前記マスク本体の表面と裏面に交互に露出し、かつ、両端をマスク本体の下縁の両端に固定して耳掛け部を形成する長さを有する紐と、を有しており、前記紐に沿ってマスク本体の上縁を縮めることでマスク本体に形成される弛みを利用し、前記使用者の顔面にフィットするように変形可能であって、前記紐が、前記マスク本体を複数箇所で表裏に貫通することで、前記マスク本体の表面と裏面に交互に露出し、かつ、前記上縁の略中央部に、前記下縁に向けて形成された略Ｕ字状の切れ込みを設けるとともに、該切れ込みを跨ぐように、前記紐をマスク本体に貫通させたことを特徴とする。主要な形態の一つは、前記上縁の両端に、該上縁と連続し、かつ、端部側が上方に延びた略三角形の延長部を設けるとともに、該延長部を前記上縁に沿って折り返し、前記延長部の先端を、前記マスク本体に固定したことを特徴とする。
【０００７】
他の発明のマスクは、使用者の鼻及び口を覆う形状及び寸法のマスク本体と、該マスク本体の上縁に沿って設けられており、前記マスク本体の表面と裏面に交互に露出し、かつ、両端をマスク本体の下縁の両端に固定して耳掛け部を形成する長さを有する紐と、を有しており、前記紐に沿ってマスク本体の上縁を縮めることでマスク本体に形成される弛みを利用し、前記使用者の顔面にフィットするように変形可能であって、前記紐が、前記マスク本体を複数箇所で表裏に貫通することで、前記マスク本体の表面と裏面に交互に露出し、かつ、前記上縁の両端に、該上縁と連続し、かつ、端部側が上方に延びた略三角形の延長部を設けるとともに、該延長部を、マスク本体の下縁に対して非平行に折り返し、前記延長部の先端を、前記マスク本体に固定することで、前記紐が、折り返した部分を表裏で跨ぐことを特徴とする。
【０００８】
更に他の発明のマスクは、使用者の鼻及び口を覆う形状及び寸法のマスク本体と、該マスク本体の上縁に沿って設けられており、前記マスク本体の表面と裏面に交互に露出し、かつ、両端をマスク本体の下縁の両端に固定して耳掛け部を形成する長さを有する紐と、を有しており、前記紐に沿ってマスク本体の上縁を縮めることでマスク本体に形成される弛みを利用し、前記使用者の顔面にフィットするように変形可能であって、前記マスク本体の上縁側に、該上縁から第１の間隔をおいて形成された第１の穴と、前記上縁から、前記第１の間隔よりも大きい第２の間隔をおいて形成された第２の穴と、を交互に形成し、前記第１の穴と第２の穴の間の位置で、前記マスク本体を上縁に平行に折り曲げることで、前記マスク本体と、折り曲げた部分の間に挟まれる紐が、前記第１及び第２の穴からマスク本体の表裏に交互に露出することを特徴とする。主要な形態の一つは、前記マスク本体の裏面側に露出した紐に引っ掛けるための爪が、上縁に沿って複数設けられた略長方形の内装用布，を備えたことを特徴とする。
【０００９】
更に他の発明のマスクは、使用者の鼻及び口を覆う形状及び寸法のマスク本体と、該マスク本体の上縁に沿って設けられており、前記マスク本体の表面と裏面に交互に露出し、かつ、両端をマスク本体の下縁の両端に固定して耳掛け部を形成する長さを有する紐と、前記マスク本体の裏面側に露出した紐に引っ掛けるための爪が、上縁に沿って複数設けられた略長方形の内装用布とを有しており、前記紐に沿ってマスク本体の上縁を縮めることでマスク本体に形成される弛みを利用し、前記使用者の顔面にフィットするように変形可能なことを特徴とする。主要な形態の一つは、前記紐が、前記マスク本体を複数箇所で表裏に貫通することで、前記マスク本体の表面と裏面に交互に露出することを特徴とする。
【００１０】
他の形態は、前記上縁の中央部分に形成されるマスク本体の弛みが、前記使用者の鼻を覆うとともに、前記紐の前記上縁の中央部分が、使用者の鼻に掛ける鼻掛け部を形成することを特徴とする。更に他の形態は、前記上縁を、前記下縁よりも長く形成したことを特徴とする。更に他の形態は、前記紐として、伸縮性を有する素材を利用したことを特徴とする。
【００１１】
本発明のアイマスクは、使用者の両目を覆う形状及び寸法のマスク本体と、該マスク本体の下縁に沿って設けられており、前記マスク本体の表面と裏面に交互に露出し、かつ、両端をマスク本体の上縁の両端に固定した耳掛け部を形成する長さを有する紐と、を有しており、前記紐に沿ってマスク本体の下縁を縮めることでマスク本体に形成される弛みを利用して、前記使用者の顔面にフィットするように変形可能であって、前記紐が前記マスク本体を複数箇所で表裏に貫通することで、前記マスク本体の表面と裏面に交互に露出し、かつ、前記下縁の略中央部に、前記上縁に向けて形成された略Ｕ字状の切れ込みを設けるとともに、該切れ込みを跨ぐように、前記紐をマスク本体に貫通させたことを特徴とする。
【００１２】
主要な形態の一つは、前記下縁の中央部分に形成されるマスク本体の弛みが、前記使用者の鼻の付け根側を覆うとともに、前記紐の前記下縁の中央部分が、使用者の鼻の付根に掛かる鼻掛け部を形成することを特徴とする。他の形態は、前記下縁を、前記上縁よりも長く形成したことを特徴とする。更に他の形態は、前記紐として、伸縮性を有する素材を利用したことを特徴とする。
【００１３】
本発明の前記及び他の目的，特徴，利点は、以下の詳細な説明及び添付図面から明瞭になろう。
【発明の効果】
【００１４】
本発明のマスクは、使用者の鼻及び口を覆う形状及び寸法のマスク本体と、該マスク本体の上縁に沿って設けられており、前記マスク本体の表面と裏面に交互に露出し、かつ、両端をマスク本体の下縁の両端に固定して耳掛け部を形成する長さを有する紐とを有している。そして、
(1)前記紐がマスク本体を複数箇所で表裏に貫通することでマスク本体の表面と裏面に交互に露出し、かつ、前記上縁の略中央部に前記下縁に向けて形成された略Ｕ字状の切れ込みを設けるとともに、該切れ込みを跨ぐように、前記紐をマスク本体に貫通させる，
(2)前記紐がマスク本体を複数箇所で表裏に貫通することでマスク本体の表面と裏面に交互に露出し、かつ、前記上縁の両端に、該上縁と連続し、かつ、端部側が上方に延びた略三角形の延長部を設けるとともに、該延長部を、マスク本体の下縁に対して非平行に折り返し、前記延長部の先端を、前記マスク本体に固定することで、前記紐が、折り返した部分を表裏で跨ぐ，
(3)前記マスク本体の上縁側に、該上縁から第１の間隔をおいて形成された第１の穴と、前記上縁から、前記第１の間隔よりも大きい第２の間隔をきて形成された第２の穴を交互に形成し、前記第１の穴と第２の穴の間の位置で、前記マスク本体を上縁に平行に折り曲げることで、前記マスク本体と、折り曲げた部分の間に挟まれる紐が、前記第１及び第２の穴からマスク本体の表裏に交互に露出する，
(4)前記マスク本体の裏面側に露出した紐に引っ掛けるための爪が、上縁に沿って複数設けられた略長方形の内装用布とを有する，
のいずれかの構成とした。このため、前記紐に沿ってマスク本体の上縁を縮めることで形成されるマスク本体の弛みを利用し、使用者の顔面にフィットさせることができる。また、金具を使用しないため、マスクを廃棄するときに分別が不要になるという効果がある。
【００１５】
また、本発明のアイマスクは、使用者の両目を覆う形状及び寸法のマスク本体と、該マスク本体の下縁に沿って設けられており、前記マスク本体の表面と裏面に交互に露出し、かつ、両端をマスク本体の上縁の両端に固定した耳掛け部を形成する長さを有する紐とを有している。そして、前記紐が前記マスク本体を複数箇所で表裏に貫通することで、前記マスク本体の表面と裏面に交互に露出し、かつ、前記下縁の略中央部に、前記上縁に向けて形成された略Ｕ字状の切れ込みを設けるとともに、該切れ込みを跨ぐように、前記紐をマスク本体に貫通させることとした。このため、前記紐に沿ってマスク本体の下縁を縮めることで形成されるマスク本体の弛みを利用して、前記使用者の顔面にフィットさせることができる。金具を使用しないので、アイマスク廃棄時の分別が不要である。
【図面の簡単な説明】
【００１６】
【図１】本発明の実施例１を示す図であり、(A-1)は使用前のマスクの正面図，(A-2)は前記(A-1)を矢印Ｆ１方向から見た平面図，(B-1)は皺を寄せた状態のマスクの正面図，(B-2)は前記(B-1)を矢印Ｆ１方向からみた平面図，(C)はマスクの使用状態を示す図である。
【図２】本発明の実施例２を示す図であり、(A)は使用前のマスクの正面図，(B)は皺を寄せた状態のマスクの正面図，(C)はマスクの使用状態を示す図である。
【図３】図３(A)は、本発明の実施例３を示す図、図３(B)は、本発明の他の実施例を示す図である。
【図４】本発明の実施例４を示す図であり、(A)はマスクの延長部を折り返す前の正面図，(B)は前記延長部を折り返した後の正面図，(C)は本実施例の使用状態を示す図，(D)は比較例の使用状態を示す図である。
【図５】前記実施例４の変形例を示す図であり、(A)はマスクの延長部を折り返す前の状態を裏面から見た図，(B)は前記延長部を折り返した後の状態を裏面側から見た図，(C)は前記延長部を折り返した後の状態を表面側から見た図である。
【図６】本発明の実施例５のアイマスクを示す図である。
【図７】本発明の実施例６のマスクを示す図であり、(A)はマスクの上縁を折り返す前の状態を示す図，(B)はマスクの上縁を折り返した後の裏面側の図，(C)はマスクの上縁を折り返した後の表面側の図，(D)はマスク本体に折り癖を付けた後の表面側の図，(E)はマスク本体に折り癖を付けた後の裏面側の図，(F)は前記(E)の矢印Ｆ７方向から見た図である。
【発明を実施するための形態】
【００１７】
以下、本発明を実施するための最良の形態を、実施例に基づいて詳細に説明する。
【実施例１】
【００１８】
最初に、図１を参照しながら本発明の実施例１を説明する。図１(A-1)は使用前のマスクの正面図，(A-2)は前記(A-1)を矢印Ｆ１方向から見た平面図，(B-1)は皺を寄せた状態のマスクの正面図，(B-2)は前記(B-1)を矢印Ｆ１方向からみた平面図，(C)はマスクの使用状態を示す図である。本実施例のマスク１０は、図１(A-1)及び(C)に示すように、使用者３０の鼻３２及び口を覆う形状及び寸法のマスク本体１２と、該マスク本体１２の上縁１４に沿って設けられた紐２２により構成されている。前記マスク本体１２は、本実施例では、上縁１４，下縁１６，側縁１８及び２０からなる長方形となっており、例えば、ガーゼ等の布や、不織布等により形成されている。
【００１９】
前記紐２２は、前記マスク本体１２の上縁１４に沿って設けられており、前記マスク本体１２の表面１２Ａと裏面１２Ｂに交互に露出するようにマスク本体１２を複数箇所で貫通している。なお、ここでは、表面１２Ａがマスク１０を装着したときに外側を向く面、裏面１２Ｂがマスク１０を装着したときに使用者３０の顔面に当たる面とする。前記紐２２は、一方の端部２４Ａを下縁１６の一端側に固定することで、耳掛け部２６を形成し、他方の端部２４Ｂを下縁１６の他端側に固定することで、耳掛け部２８を形成することができる長さを有している。本実施例では、前記紐２２として、多少の伸縮性を有するものが用いられる。
【００２０】
前記紐２２は、マスク１０の使用前においては、図１(A-1)及び(A-2)に示すように、マスク本体１２の表面１２Ａと裏面１２Ｂに交互に露出した部分が、若干の弛みを有している。図１(A-2)に示す例では、弛み２２Ａ〜２２Ｅが、マスク裏面１２Ｂと表面１２Ａに交互に形成されている。この紐２２を引っ張って真っすぐにするとともに、該紐２２に沿って上縁１４を縮めると、図１(B-1)及び(B-2)に示すように、マスク本体１２に皺が寄って弛み１４Ａ〜１４Ｅが生じる。紐２２を境にしてマスク表面１２Ａ側に弛み１４Ａ，１４Ｃ，１４Ｅが形成され、マスク裏面１２Ｂ側に弛み１４Ｂ，１４Ｄが形成される。
【００２１】
前記弛み１４Ａ〜１４Ｅを利用することで、利用者３０の顔面にフィットさせることができる。例えば、中央の弛み１４Ｃは、図１(B-2)に示すように、表面１２Ａ側に山形になっているため、図１(C)に示すように、この部分を鼻３２に当てることで、使用者３０の顔面にフィットさせることができる。また、前記弛み１４Ｃに相当する部分の紐２２は、図１(B-2)及び図１(C)に示すように、鼻掛け部２３を形成し、鼻３２に掛けることで、マスク１０がずれにくくなる。
【００２２】
このように、実施例１によれば、使用者３０の鼻３２及び口を覆う形状及び寸法のマスク本体１２と、該マスク本体１２の上縁１４に沿って設けられており、前記マスク本体１２の表面１２Ａと裏面１２Ｂに交互に露出するようにマスク本体１２を複数箇所で貫通し、かつ、両端部２４Ａ，２４Ｂをマスク本体１２の下縁１６の両端に固定して耳掛け部２６，２８を形成する長さを有する紐２２によりマスク１０を構成する。そして、前記上縁１４に通している紐２２に沿って上縁１４を縮め、マスク本体１２に複数の弛み１４Ａ〜１４Ｅを形成することで、使用者３０の顔面にフィットしてマスク１０の装着感を向上させることができる。特に、上縁１４の中央部分に形成されるマスク本体１２の弛み１４Ｃにより鼻３２を覆い、同じく中央部分の紐を鼻掛け部２３として鼻３２に掛けることで、マスク１０がずれにくくなる。更に、紐２２によってマスク上縁１４に皺を寄せるため、金具が不要となり、廃棄時に分別の必要がなくなるという効果が得られる。
【実施例２】
【００２３】
次に、図２を参照しながら本発明の実施例２を説明する。なお、上述した実施例１と同一ないし対応する構成要素には同一の符号を用いることとする（以下の実施例についても同様）。図２(A)は本実施例のマスクの正面図，図２(B)は皺を寄せた状態のマスクの正面図，(C)はマスクの使用状態を示す図である。本実施例のマスク５０は、マスク本体５２と紐６２により構成されている。前記マスク本体５２は、上縁５４，下縁５６，側縁５８及び６０よりなり、前記上縁５４が下縁５６よりも長い略台形形状に形成されている。前記上縁５４の略中央部には、下縁５６に向けて略Ｕ字状の切れ込み７０が形成されている。前記マスク本体５２には、前記上縁５４に沿って紐６２が設けられている。該紐６２は、前マスク本体５２の表面５２Ａと裏面５２Ｂに交互に露出するようにマスク本体５２を複数箇所で貫通している。その一方の端部６４Ａは、下縁５６の一端に固定され、耳掛け部６６を形成し、他方の端部６４Ｂは、下縁５６の他端に固定され、耳掛け部６８を形成する。前記紐６２は、前記上縁５４に沿ってマスク本体５２の表裏を貫通するにあたり、前記略Ｕ字状の切れ込み７０を、裏面５２Ｂ側で跨ぐように設けられる。
【００２４】
マスク５０の使用前においては、前記紐６２は、マスク本体５２の表面５２Ａと裏面５２Ｂに、交互に弛み６２Ａ〜６２Ｅを形成している。そして、この弛み６２Ａ〜６２Ｅがなくなるように紐６２を引っ張り、該紐６２に沿ってマスク本体５２の上縁５４を縮めると、図２(B)に示すように、紐６２を境にした両側にマスク本体５２の弛み５４Ａ〜５４Ｅが形成される。このうち、略中央の弛み５４Ｃが、図２(C)に示すように、使用者３０の鼻３２を覆うようになる。また、上縁５４の略中央部に相当する部分の紐が、鼻掛け部６３となるので、マスク５０を装着したときにずれにくい。
【００２５】
本実施例の基本的な作用・効果は、上述した実施例１と同様であるが、本実施例では、マスク本体５２の上縁５４を下縁５６よりも長く形成しているため、紐６２に沿ってマスク本体５２の上縁５４に皺を寄せたときに、上縁５４が下縁５６よりも短くなるのを防ぐことができる。また、上縁５４が下縁５６よりも長い分、マスク本体５２に形成される弛み５４Ｃを大きくとることができる。更に、その場合であっても、上縁５４の略中央に切れ込み７０を設けているため、鼻掛け部６３を鼻３２に掛ける妨げとならない。
【実施例３】
【００２６】
次に、図３(A)を参照しながら本発明の実施例３を説明する。本実施例は、上述した実施例１のマスク１０に、内装用布を着脱可能とした例である。図３(A)に示すように、内装用布８０は、上縁８２，下縁８４，側縁８６及び８８からなる長方形であって、マスク本体１２と略同一又は若干小さい寸法に形成されている。該内装用布８０は、例えば、ガーゼ生地やタオル生地により形成される。前記上縁８２には、適宜間隔で、３つの爪９０Ａ，９０Ｂ，９０Ｃが設けられている。該爪９０Ａ〜９０Ｃは、例えば、樹脂製や紙製とすると、廃棄時に分別が不要となり都合がよい。前記爪９０Ａは、マスク本体１２の裏面１２Ｂ（顔面側の面）に露出した紐２２の弛み２２Ａに相当する位置に形成され、爪９０Ｂは、弛み２２Ｃに相当する位置に形成され、爪９０Ｃは、弛み２２Ｅに相当する位置に形成されている。これら爪９０Ａ〜９０Ｃを、前記紐２２の弛み２２Ａ，２２Ｃ，２２Ｅに掛けることで、内装用布８０がマスク１０の内側に着脱可能となる。この内装用布８０は、マスク１０に弛みを形成することを妨げることはないため、上述した実施例１と同様の作用・効果を得ることができる。また、内装用布８０を交換することで、マスク１０自体が汚れて交換する時期を遅らせ、マスク１０を長持ちさせることができる。なお、本実施例では、内装用布８０としてガーゼ生地やタオル生地を例に挙げたが、その他の素材を用いることを妨げるものではない。
【実施例４】
【００２７】
次に、図４を参照しながら本発明の実施例４を説明する。図４(A)は本実施例のマスクの延長部を折り返す前の状態を示す正面図，図４(B)は前記延長部を折り返した後の正面図，図４(C)は本実施例の使用状態を示す図，図４(D)は比較例の使用状態を示す図である。上述した実施例１では、紐２２がマスク本体１２を６箇所で貫通しており、両側縁１８，２０の近くでも紐２２が貫通しているため、上縁１４と利用者の顔の間に隙間が空きにくく、マスク本体１２の角部がめくれにくい構造となっていた。これに対し、例えば、図４(D)に示すマスク１０Ｃのように、紐２２がマスク本体１２を４箇所で貫通し、しかも、側縁１８，２０から離れた位置までしか紐２２が通っていない場合には、マスク本体１２の角部１５がめくれやすくなる。そして、その隙間から、鼻から出た蒸気が上がり、眼鏡９２が曇る場合がある。
【００２８】
紐２２の貫通箇所は任意で設定可能であるが、上記の通り、顔とマスクの間に隙間が空きやすい位置で貫通している場合には、本実施例のような構造とすることにより、めくれやすさや眼鏡９２の曇り等を防止することができる。本実施例のマスク１０Ｂは、図４(A)に示すように、マスク本体１２の上縁１４の両端側に、略三角形の延長部９４Ａ，９４Ｂが上縁１４に連続して形成された構造となっている。前記延長部９４Ａ，９４Ｂは、底辺が前記上縁１４上にあり、頂部９５Ａ，９５Ｂは、前記側縁１８，２０の延長上にある。そして、前記延長部９４Ａ，９４Ｂを、図４(B)に示すように、上縁１４に沿ってマスク本体裏面１２Ｂ（顔に当たる面）側に折り返し、前記頂部９５Ａ，９５Ｂをマスク本体１２に縫い付ける等によって固定する。
【００２９】
このようにして形成された折り返し部９６Ａ，９６Ｂは、マスク本体裏面１２Ｂとの間に、紐２２を挟み込むようになり、側縁１８，２０側での紐２２の位置ずれを防止し、マスク本体１２の角部１５がめくれるのを防止することができる。また、めくれを防止することにより、顔とマスク１０Ｂの間に隙間が生じにくくなるため、使用者が眼鏡９２を掛けている場合であっても、顔とマスク１０Ｂの間から蒸気が上がって眼鏡９２が曇るのを防止することができる。他の基本的な作用・効果は、上述した実施例１と同様である。
【００３０】
＜変形例＞・・・図５には、本実施例の変形例が示されている。図５(A)はマスクの延長部を折り返す前の状態を裏面側から見た図，図５(B)は前記延長部を折り返した後の状態を裏面側から見た図，図５(C)は前記延長部を折り返した後の状態を表面側から見た図である。前記図４に示したマスク１０Ｂでは、マスク本体１２の上縁１４の両端部に略三角形の延長部９４Ａ，９４Ｂを設け、上縁１４に対して平行に折り曲げ、頂部９５Ａ，９５Ｂをマスク本体１２に縫い付ける構造とした。しかし、これも一例であり、図５に示すマスク１０Ｄのように、紐２２を上縁に沿って平行にならないようにマスク本体１２を貫通させ、更に、図５(A)に点線で示すように、下縁１６に対して非平行な折り曲げ線に沿って、折り曲げるようにしてもよい。このように折り曲げることで、紐２２が折り返した部分を表裏で跨ぐようになり、折り曲げ部分の強度が増す。他の基本的な作用・効果は、上述したマスク１０Ｂと同様である。なお、図５のマスク１０Ｄでは、紐２２を貫通させる位置と、延長部９４Ａ，９４Ｂを折り曲げる位置の双方を、図４の場合と異なるようにしたが、いずれか一方のみを変えてマスク１０Ｄと同様の効果を得るようにしてもよい。
【実施例５】
【００３１】
次に、図６を参照しながら本発明の実施例５を説明する。上述した実施例１〜４は、使用者の鼻及び口を覆うためのマスクであるが、本実施例は、就寝時や眼精疲労の緩和のため等に用いられるアイマスクの例である。図６(A)は、本実施例の基本形態のアイマスクを使用者３０に装着した状態を示す図である。図６(A)に示すように、本実施例のアイマスク１００は、使用者３０の両方の目３４を覆う形状及び寸法のマスク本体１０２と、該マスク本体１０２の下縁１０６に沿って設けられた紐１１２によって構成されている。前記マスク本体１０２は、本実施例では、上縁１０４，下縁１０６，側縁１０８及び１１０からなる長方形となっているが、図６(A)に点線で示す上縁１０４´のように、中央部分を鼻３２に向けて凹ませた曲線状としてもよい。前記マスク本体１０２は、例えば、布や不織布等により形成されている。前記布としては、就寝時の遮光を目的とする場合には、後述するようにマスク本体１０２を縮めることができる程度であれば、比較的厚手の布地等を用いるようにするとよい。
【００３２】
前記紐１１２は、前記マスク本体１０２の下縁１０６に沿って設けられており、前記マスク本体１０２の表面１０２Ａと裏面１０２Ｂに交互に露出するようにマスク本体１０２を複数箇所で貫通している。図示の例では、表面１０２Ａ側の露出部１１２Ａ，１１２Ｂ，１１２Ｃは３箇所である。なお、ここでは、表面１０２Ａがアイマスク１００を装着したときに外側を向く面、裏面１０２Ｂがアイマスク１００を装着したときに使用者３０の目３４を覆う面とする。前記紐１１２は、一方の端部１１６Ａを上縁１０４の一端側に固定することで耳掛け部１１８Ａを形成し、他方の端部１１６Ｂ（図６(B)参照）を上縁１０４の他端側に固定することで、耳掛け部１１８Ｂ（図６(B)参照）を形成することができる長さを有している。本実施例では、前記紐１１２として、前記実施例１と同様に、多少の伸縮性を有するものが用いられる。
【００３３】
前記紐１１２は、アイマスク１００の使用前においては、マスク本体１０２の表面１０２Ａと裏面１０２Ｂに交互に露出した部分が、若干の弛みを有している。この紐１０２に沿って下縁１０６の適宜位置（例えば、露出部１１２Ｂの両側）を縮めると、マスク本体１０２に皺がよって弛みが生じる。図示の例では、紐１１２の中央の露出部１１２Ｂの両側を縮めることにより、中央部分に弛み１０７を形成し、この部分を鼻３２（ないし鼻３２の付根）に当てることで、使用者３０の顔面にフィットさせることができる。また、前記中央の露出部１１２Ｂは、鼻掛け部として作用し、アイマスク１００がずれにくくなる。
【００３４】
このように、実施例５によれば、使用者３０の両方の目３４を覆う形状及び寸法のマスク本体１０２と、該マスク本体１０２の下縁１０６に沿って設けられており、前記マスク本体１０２の表面１０２Ａと裏面１０２Ｂに交互に露出するようにマスク本体１０２を複数箇所で貫通し、かつ、両端部１１６Ａ，１１６Ｂをマスク本体１０２の上縁１０４の両端に固定して耳掛け部１１８Ａ，１１８Ｂを形成する長さを有する紐１１２によりアイマスク１００を構成する。そして、前記紐１１２に沿って下縁１０６を縮め、マスク本体１０２の中央部分に弛み１０７を形成することで、使用者３０の顔面にフィットしてアイマスク１００の装着感を向上させることができる。また、紐１１２の中央部分の露出部１１２Ｂが、マスク本体１０２の上から鼻３２に掛かるので、アイマスク１００がずれにくくなる。更に、紐１１２によってマスク下縁１０６に皺を寄せるため、マスク本体１０２に切れ込み等を設けることなく、あらゆる使用者３０に適用可能である。また、金具を使用することもないので、廃棄時の分別が不要である。
【００３５】
＜変形例＞・・・図６(B)には、本実施例の変形例が示されている。本例のアイマスク１００Ａは、マスク本体１０２と紐１１２により構成されており、前記マスク本体１０２は、紐１１２に沿ってマスク本体１０２を縮める前において、上縁１０４よりも下縁１０６´が長くなるように形成されており、マスク本体１０２に皺を寄せても下縁１０６´が上縁１０４より極端に短くなることがない。前記下縁１０６´の略中央部には、上縁１０４に向けて略Ｕ字状の切れ込み１２０が形成されている。前記マスク本体１０２には、前記下縁１０６´に沿って紐１１２が設けられている。該紐１１２は、マスク本体表面１０２Ａと裏面１０２Ｂに交互に露出するようにマスク本体１０２を複数箇所で貫通している。その両端１１６Ａ，１１６Ｂを上縁１０４の両端に固定して耳掛け部１１８Ａ，１１８Ｂを形成する点については、前記図６(A)に示した例と同様である。前記紐１１２は、前記下縁１０６´に沿ってマスク本体１０２の表裏を貫通するにあたり、前記略Ｕ字状の切れ込み１２０を、裏面１０２Ｂ側で跨ぐように設けられる。
【００３６】
アイマスク１００Ａの使用前においては、前記紐１１２は、マスク本体１０２の表面１０２Ａと裏面１０２Ｂに交互に弛みを形成している。そして、前記紐１１２に沿ってマスク本体１０２の下縁１０６´を縮め、図６(B)に示すように、中央部分に弛み１０７を形成する。この弛み１０７が使用者３０の鼻３２に相当する位置になるが、本実施例では、弛み１０７が形成される部分に略Ｕ字状の切れ込み１２０が形成されているため、弛み１０７を大きくとった場合でも、フィット性を損なうことがない。また、紐１１２の略中央部分が、鼻掛け部１１４となるので、アイマスク１００Ａを装着したときにずれにくい。本例の基本的な作用・効果は、図６(A)に示す例と同様である。
【実施例６】
【００３７】
次に、図７を参照しながら本発明の実施例６を説明する。上述した実施例１〜５は、いずれも、紐がマスク本体を表裏で貫通する構造としたが、本実施例は、マスク本体を上縁に沿って折り曲げ、該折り曲げた部分とマスク本体の間に挟んだ紐を、マスク本体に形成した穴から表裏に交互に露出させるものである。図７(A)は、本実施例のマスクの上縁を折り返す前の状態を示す図，図７(B)はマスクの上縁を折り返した後の裏面側の図，図７(C)はマスクの上縁を折り返した後の表面側の図，図７(D)はマスク本体に折り癖を付けた後の表面側の図，図７(E)はマスク本体に折り癖を付けた後の裏面側の図，図７(F)は前記(E)を矢印Ｆ７方向から見た図である。
【００３８】
本実施例のマスク２００は、略長方形のマスク本体２０２の上縁２０４側に、２段に複数の穴を形成している。図示の例では、図７(A)に示すように、前記上縁２０４からの距離がＤ１となる位置に、２つの穴２２０を適宜間隔で設けている。また、前記上縁２０４からの距離が、前記Ｄ１よりも大きい距離Ｄ２となる位置であって、前記２つの穴２２０の間に、穴２２２を１つ設けている。そして、前記マスク本体２０２の裏面２０２Ｂ側に、前記穴２２２に跨るように、紐２２を置き、マスク本体２０２を折り線２０５に沿って折り曲げる。折り曲げ後の状態では、図７(B)に示すように、紐２２は、マスク本体裏面２０２Ｂ側において、前記穴２２０から露出している。また、図７(C)に示すように、マスク本体表面２０２Ａ側においては、前記紐２２は、穴２２２から露出している。
【００３９】
前記折り返した部分は、マスク本体２０２に適宜固定され、紐２２の端部は、側縁２０８，２１０の下方に適宜固定され、耳掛け部２６，２８を形成する。次に、前記マスク本体２０２に、前記穴２２０，２２２に対応する位置で、縦方向に折り癖を付ける。折り癖を付けた状態を表面側から見た図が図７(D)であり、折り癖を付けた状態を裏面側から見た図が図７(E)である。このように折り癖を付けることにより、マスク本体２０２に弛みが生じ、顔面にフィットするように装着することができる。また、図７(F)に示すように、中央の穴２２２から露出した紐２２を、上述した実施例１と同様に鼻掛け部２３として利用することができる。本実施例によれば、紐２２をマスク本体２０２に貫通させることなく表裏に露出させて、上述した実施例１と同様の効果が得ることができる。
【００４０】
なお、本発明は、上述した実施例に限定されるものではなく、本発明の要旨を逸脱しない範囲内において種々変更を加え得ることができる。例えば、以下のものも含まれる。
(1)前記実施例で示した形状，寸法は一例であり、必要に応じて適宜変更してよい。材料についても同様に、公知の各種のマスク用素材を利用可能である。
(2)前記実施例１では、紐２２は、６箇所でマスク本体１２を貫通しているが、これも一例であり、同様の効果を奏するように適宜変更してよい。また、貫通部分の間隔も一例であり、例えば、中央部分のみ広く取り、その他の部分は細かい皺を寄せるようにしてもよい。図３(B)に示すマスク１０Ａでは、マスク本体裏面１２Ｂ側には、７箇所の露出部４０Ａ〜４０Ｇが形成されており、中央の露出部４０Ｄは長く、その両側の露出部４０Ａ〜４０Ｃ，４０Ｅ〜４０Ｇは短くなるように、紐２２が貫通する間隔が設定されている。むろん、図示の例も一例であり、必要に応じて適宜変更してよい。他の実施例についても同様である。
(3)前記実施例３で示した内装用布８０は、必要に応じて設けるようにすればよい。
(4)前記実施例４で示した紐２２の貫通位置や貫通数等は一例であり、必要に応じて適宜変更してよい。また、貫通位置等に応じて、前記延長部９４Ａ，９４Ｂの形状・寸法を適宜変更可能である。また、実施例４で示した折り返し部９６Ａ，９６Ｂを、実施例１〜３に適用するようにしてもよい。
(5)本発明のマスク及びアイマスクは、公知の各種の用途に適用可能である。
【産業上の利用可能性】
【００４１】
本発明によれば、使用者の鼻及び口を覆う形状及び寸法のマスク本体と、該マスク本体の上縁に沿って設けられており、前記マスク本体の表面と裏面に交互に露出し、かつ、両端をマスク本体の下縁の両端に固定して耳掛け部を形成する長さを有する紐とを有している。そして、
(1)前記紐がマスク本体を複数箇所で表裏に貫通することでマスク本体の表面と裏面に交互に露出し、かつ、前記上縁の略中央部に前記下縁に向けて形成された略Ｕ字状の切れ込みを設けるとともに、該切れ込みを跨ぐように、前記紐をマスク本体に貫通させる，
(2)前記紐がマスク本体を複数箇所で表裏に貫通することでマスク本体の表面と裏面に交互に露出し、かつ、前記上縁の両端に、該上縁と連続し、かつ、端部側が上方に延びた略三角形の延長部を設けるとともに、該延長部を、マスク本体の下縁に対して非平行に折り返し、前記延長部の先端を、前記マスク本体に固定することで、前記紐が、折り返した部分を表裏で跨ぐ，
(3)前記マスク本体の上縁側に、該上縁から第１の間隔をおいて形成された第１の穴と、前記上縁から、前記第１の間隔よりも大きい第２の間隔をきて形成された第２の穴を交互に形成し、前記第１の穴と第２の穴の間の位置で、前記マスク本体を上縁に平行に折り曲げることで、前記マスク本体と、折り曲げた部分の間に挟まれる紐が、前記第１及び第２の穴からマスク本体の表裏に交互に露出する，
(4)前記マスク本体の裏面側に露出した紐に引っ掛けるための爪が、上縁に沿って複数設けられた略長方形の内装用布とを有する，
のいずれかの構成とした。そして、前記紐に沿ってマスク本体の上縁を縮めることで形成されるマスク本体の弛みを利用することで使用者の顔面にフィットさせるため、マスクの用途に適用できる。特に、金具が不要であり、廃棄時に分別の必要がなくなるため、使い捨てマスクの用途に好適である。
【００４２】
また、本発明によれば、使用者の両目を覆う形状及び寸法のマスク本体と、該マスク本体の下縁に沿って設けられており、前記マスク本体の表面と裏面に交互に露出し、かつ、両端をマスク本体の上縁の両端に固定した耳掛け部を形成する長さを有する紐とを有している。そして、前記紐が前記マスク本体を複数箇所で表裏に貫通することで、前記マスク本体の表面と裏面に交互に露出し、かつ、前記下縁の略中央部に、前記上縁に向けて形成された略Ｕ字状の切れ込みを設けるとともに、該切れ込みを跨ぐように、前記紐をマスク本体に貫通させることとした。そして、前記紐に沿ってマスク本体の下縁を縮めることで形成されるマスク本体の弛みを利用し、使用者の顔面にフィットさせるため、アイマスクの用途に適用できる。特に、金具が不要であり、廃棄時に分別が不要であるため、使い捨てアイマスクの用途に好適である。
【符号の説明】
【００４３】
１０，１０Ａ，１０Ｂ，１０Ｃ，１０Ｄ：マスク
１２：マスク本体
１２Ａ：表面
１２Ｂ：裏面
１４：上縁
１４Ａ〜１４Ｅ：弛み
１５：角部
１６：下縁
１８，２０：側縁
２２：紐
２２Ａ〜２２Ｅ：弛み
２３：鼻掛け部
２４Ａ，２４Ｂ：端部
２６，２８：耳掛け部
３０：使用者
３２：鼻
３４：目
４０Ａ〜４０Ｇ：露出部
５０：マスク
５２：マスク本体
５２Ａ：表面
５２Ｂ：裏面
５４：上縁
５４Ａ〜５４Ｅ：弛み
５６：下縁
５８，６０：側縁
６２：紐
６２Ａ〜６２Ｅ：弛み
６３：鼻掛け部
６４Ａ，６４Ｂ：端部
６６，６８：耳掛け部
７０：切れ込み
８０：内装用布
８２：上縁
８４：下縁
８６，８８：側縁
９０Ａ，９０Ｂ，９０Ｃ：爪
９２：眼鏡
９４Ａ，９４Ｂ：延長部
９５Ａ，９５Ｂ：頂部
９６Ａ，９６Ｂ：折り返し部
１００，１００Ａ：アイマスク
１０２：マスク本体
１０２Ａ：表面
１０２Ｂ：裏面
１０４，１０４´：上縁
１０６，１０６´：下縁
１０７：弛み
１０８，１１０：側縁
１１２：紐
１１２Ａ〜１１２Ｃ：露出部
１１４：鼻掛け部
１１６Ａ，１１６Ｂ：端部
１１８Ａ，１１８Ｂ：耳掛け部
１２０：切れ込み
２００：マスク
２０２：マスク本体
２０２Ａ：表面
２０２Ｂ：裏面
２０４：上縁
２０５：折り線
２０６：下縁
２０８，２１０：側縁
２２０，２２２：穴
【要約】
【課題】使用者の顔面にフィットして装着感の向上を図るとともに、使い捨てにも適したマスクを提供する。
【解決手段】マスク１０は、使用者の鼻及び口を覆う形状及び寸法のマスク本体１２と、その上縁１４に沿って設けられた紐２２により構成される。前記紐２２は伸縮性を有しており、マスク本体１２の表面１２Ａと裏面１２Ｂに交互に露出するようにマスク本体１２を複数箇所で貫通している。そして、紐２２の両端部２４Ａ，２４Ｂを、下縁１６の端部に固定することで、耳掛け部２６，２８が形成される。上縁１４に設けられた紐２２に沿ってマスク本体１２の上縁１４を縮めると、前記紐２２を境にした両側にマスク本体１２の弛み１４Ａ〜１４Ｅが形成される。中央の弛み１４Ｃに相当する部分の紐が鼻掛け部２３となり、弛み１４Ｃ自体は、鼻３２を覆う形状となり、使用者３０の顔面にマスク１０がフィットする。
【選択図】図１【図１】
0005442150.tif 000002
【図２】
0005442150.tif 000003
【図３】
0005442150.tif 000004
【図４】
0005442150.tif 000005
【図５】
0005442150.tif 000006
【図６】
0005442150.tif 000007
【図７】
0005442150.tif 000008